(57)【要約】【課題】不必要な通信を行うことなく、悪戯通信を撃退することができる通信システムを提供する。【解決手段】複数の電話装置２，２Ａ間で、基地局３を介して通信する通信システム１であって、電話装置２は、他の電話装置２Ａとの間の通信動作に関する情報を表す動作モード情報を含む情報を入力する操作部と、基地局３との情報の通信を行う無線通信部とを有し、基地局３は、電話装置２，２Ａとの情報の通信を行う無線アクセスネットワークと、電話装置２からの動作モード情報に基づいて、動作モード情報が表す他の電話装置２Ａとの通信動作が、動作モード情報の表す通信動作となるように無線アクセスネットワーク２２を制御するコアネットワーク２４とを有する。【選択図】      図１
2004320630.tif 000002
【特許請求の範囲】
【請求項１】
複数の通信端末装置間で、基地局を介して通信する通信システムであって、
通信端末装置は、
他の通信端末装置との間の通信動作に関する情報を表す動作モード情報を含む情報を入力する入力手段と、
基地局との情報の通信を行う端末通信手段とを有し、
基地局は、
通信端末装置との情報の通信を行う基地通信手段と、
通信端末装置からの動作モード情報に基づいて、動作モード情報が表す他の通信端末装置との通信動作が、動作モード情報の表す通信動作となるように基地通信手段を制御する基地制御手段とを有することを特徴とする通信システム。
【請求項２】
動作モード情報が表す通信動作は、他の通信端末装置からの情報を受信しない不受信動作であることを特徴とする請求項１記載の通信システム。
【請求項３】
動作モード情報が表す通信動作は、他の通信端末装置からの情報のうち、その他の通信端末装置の識別情報だけを受信し、かつ識別情報を除く他の情報を受信しない識別情報単独受信動作であることを特徴とする請求項１記載の通信システム。
【請求項４】
動作モード情報が表す通信動作は、他の通信端末装置からの情報を、基地局においてそのまま他の通信端末装置に返信する未処理情報返信動作であることを特徴とする請求項１記載の通信システム。
【請求項５】
動作モード情報が表す通信動作は、他の通信端末装置からの情報を、基地局において所定の処理をして、他の通信端末装置に返信する処理済情報返信動作であることを特徴とする請求項１記載の通信システム。
【請求項６】
動作モード情報が表す通信動作は、他の通信端末装置からの情報に対して、基地局において予め設定される情報を他の通信端末装置に返信する設定情報返信動作であることを特徴とする請求項１記載の通信システム。
【請求項７】
前記返信する予め設定される情報は、画像情報および音声情報の少なくともいずれか一方であることを特徴とする請求項６記載の通信システム。
【発明の詳細な説明】
【０００１】
【発明の属する技術分野】
本発明は、たとえば音声情報および画像情報などの情報を、相互に通信可能な通信端末装置および基地局を含む通信システムに関する。
【０００２】
【従来の技術】
画像圧縮符号化技術および電話システムの発達および普及に伴い、テレビ電話システムのサービス規定およびプロトコル規定、ならびに画像圧縮符号化方式および音声圧縮符号化方式などが標準化されつつあり、第３世代携帯電話システムなどを始めとする様々なテレビ電話システムが提案されている。
【０００３】
このようなテレビ電話システムにおいては、一般的に、電話装置に搭載されるテレビ電話用カメラから入力される画像は、アナログ／デジタル変換器（略称：ＡＤＣ）を介して画像用符号化処理部に入力される。またマイクロホンからの入力される音声は、ＡＤＣを介して音声用符号化処理部に入力される。画像用符号化処理部によって符号化された画像情報、および音声用符号化処理部によって符号化された音声情報は、分離多重化処理部によって多重化されて、無線通信部を介してアンテナから基地局へ送信される。またアンテナから受信した情報は、無線通信部を介して、分離多重化処理部によって画像情報と音声情報とに分離されて、画像情報は画像用復号化処理部に入力され、音声情報は音声用復号化処理部に与えられる。画像用復号化処理部によって復号された画像情報は、デジタル／アナログ変換器（略称：ＤＡＣ）を介して表示部に表示される。音声用復号化処理部によって復号された音声情報は、ＤＡＣを介してスピーカから出力される。
【０００４】
電話装置と基地局との間で通信されるメディアである画像情報および音声情報ならびに画像情報および音声情報を除く各種情報は選択可能である。たとえば音声情報だけの通信、および画像情報と音声情報とを含む通信など、通信システムの機能および利用形態に応じて、利用者が利用する度に変更されるのが一般的である。また電話装置における画像情報の表示に関しても、一般的に、利用者自身の画像および通信相手の画像、ならびにアプリケーション画像などの切換えおよび合成が選択可能である。
【０００５】
また基地局は、一般的に、アンテナで受信した電話装置からの情報は、無線アクセスネットワーク、コアネットワークおよびゲートウエイを介して、インターネット、固定通信網および移動通信網に与えられる。またインターネット、固定通信網および移動通信網からの情報は、基地局のゲートウエイ、コアネットワークおよび無線アクセスネットワークを介して、アンテナから電話装置へ送信される。
【０００６】
このようなテレビ電話システムなどの通信システムの従来技術として、画像による悪戯電話を防止するために、画像通信電話装置内に特定の発信元の電話番号を登録しておき、所定の相手からの画像情報だけしか表示しない画像通信電話システムがある。またこの従来技術では、悪戯電話の相手に特殊画像を送信する（たとえば特許文献１参照）。また他の従来技術として、特定のキーを操作することによって、悪戯電話の相手に特殊画像を送信するテレビ電話装置がある（たとえば特許文献２参照）。
【０００７】
【特許文献１】
特開８−８８６９７号公報
【特許文献２】
特開平６−３０３３１４号公報
【０００８】
【発明が解決しようとする課題】
これらのような従来技術では、悪戯電話の撃退としては、それなりの効果が期待できるけれども、電話装置が情報を受信してから、画像の表示をするか否かを判断したり、悪戯電話の相手に特殊画像を送信することになるので、このような情報の送信および受信にかかる不必要な通信費用を払わなければならないという欠点がある。
【０００９】
したがって本発明の目的は、不必要な通信を行うことなく、悪戯通信を撃退することができる通信システムを提供することである。
【００１０】
【課題を解決するための手段】
本発明は、複数の通信端末装置間で、基地局を介して通信する通信システムであって、
通信端末装置は、
他の通信端末装置との間の通信動作に関する情報を表す動作モード情報を含む情報を入力する入力手段と、
基地局との情報の通信を行う端末通信手段とを有し、
基地局は、
通信端末装置との情報の通信を行う基地通信手段と、
端末通信手段からの動作モード情報に基づいて、動作モード情報が表す他の通信端末装置との通信動作が、動作モード情報の表す通信動作となるように基地通信手段を制御する基地制御手段とを有することを特徴とする通信システムである。
【００１１】
本発明に従えば、通信端末装置の入力手段は、他の通信端末装置との間の通信動作に関する情報を表す動作モード情報を含む情報を入力する。通信端末装置の端末通信手段は、基地局との情報の通信を行って、前記動作モード情報を基地局に送信する。基地局の基地通信手段は、通信端末装置との情報の通信を行って、端末通信装置からの動作モード情報を受信する。基地局の基地制御手段は、端末通信手段からの動作モード情報に基づいて、動作モード情報が表す他の通信端末装置との通信動作が、動作モード情報の表す通信動作となるように基地通信手段を制御する。これによって、たとえば通信端末装置の利用者が受信したくない他の通信端末装置からの情報を受信しないように動作モード情報を入力することによって、基地局が、前記利用者の通信端末装置からの動作モード情報に基づいて、当該通信端末装置に前記他の通信端末装置からの情報を与えないようにして、不所望な悪戯通信を撃退することができる。このように通信端末装置が動作モード情報の表す通信動作となるように端末通信手段が動作するのではなく、基地局の基地制御手段によって基地通信手段が制御されて動作するので、通信端末装置と基地局と間の不必要な通信を行うことが無い。これによって通信端末装置の通信に基づいて発生する通信料金を低減することができる。
【００１２】
また本発明は、動作モード情報が表す通信動作は、他の通信端末装置からの情報を受信しない不受信動作であることを特徴とする。
【００１３】
本発明に従えば、動作モード情報が表す通信動作は、他の通信端末装置からの情報を受信しない不受信動作である。これによって利用者が、たとえば頻繁に悪戯通信をしてくる特定の他の通信端末装置からの情報を受信しないように動作モード情報を入力手段から入力することで、前記他の通信端末装置からの不所望な情報を受信することがなく、基地局との不必要な通信をせずに悪戯通信を撃退することができる。
【００１４】
また本発明は、動作モード情報が表す通信動作は、他の通信端末装置からの情報のうち、その他の通信端末装置の識別情報だけを受信し、かつ識別情報を除く他の情報を受信しない識別情報単独受信動作であることを特徴とする。
【００１５】
本発明に従えば、動作モード情報が表す通信動作は、他の通信端末装置からの情報のうち、その他の通信端末装置の識別情報だけを受信し、かつ識別情報を除く他の情報を受信しない識別情報単独受信動作である。これによって利用者は、、受信した識別情報を確認することで、たとえば頻繁に悪戯通信をしてくる特定の他の通信端末装置からの悪戯通信があったことを確認することができるとともに、識別情報を除く他の情報を受信しないので、前記他の通信端末装置からの不所望な情報を受信することがなく、基地局との不必要な通信をせずに悪戯通信を撃退することができる。
【００１６】
また本発明は、動作モード情報が表す通信動作は、他の通信端末装置からの情報を、基地局においてそのまま他の通信端末装置に返信する未処理情報返信動作であることを特徴とする。
【００１７】
本発明に従えば、動作モード情報が表す通信動作は、他の通信端末装置からの情報を、基地局においてそのまま他の通信端末装置に返信する未処理情報返信動作である。これによって基地局が他の通信端末装置に、前記他の通信端末装置からの情報をそのまま返信するので、通信端末装置は、基地局との不必要な通信をせずに悪戯通信を撃退することができる。
【００１８】
また本発明は、動作モード情報が表す通信動作は、他の通信端末装置からの情報を、基地局において所定の処理をして、他の通信端末装置に返信する処理済情報返信動作であることを特徴とする。
【００１９】
本発明に従えば、動作モード情報が表す通信動作は、他の通信端末装置からの情報を、基地局において所定の処理をして、他の通信端末装置に返信する処理済情報返信動作である。これによって基地局が他の通信端末装置に、前記他の通信端末装置からの情報に所定の処理をして返信するので、通信端末装置は、基地局との不必要な通信をせずに悪戯通信を撃退することができる。
【００２０】
また本発明は、動作モード情報が表す通信動作は、他の通信端末装置からの情報に対して、基地局において予め設定される情報を他の通信端末装置に返信する設定情報返信動作であることを特徴とする。
【００２１】
本発明に従えば、動作モード情報が表す通信動作は、他の通信端末装置からの情報に対して、基地局において予め設定される情報を他の通信端末装置に返信する設定情報返信動作である。これによって基地局が他の通信端末装置に、前記他の通信端末装置からの情報に対して、予め設定される情報を返信するので、通信端末装置は、基地局との不必要な通信をせずに悪戯通信を撃退することができる。
【００２２】
また本発明は、前記返信する予め設定される情報は、画像情報および音声情報の少なくともいずれか一方であることを特徴とする。
【００２３】
本発明に従えば、前記返信する予め設定される情報は、画像情報および音声情報の少なくともいずれか一方である。これによって基地局が他の通信端末装置に、前記他の通信端末装置からの情報に対して、予め設定される画像情報および音声情報の少なくともいずれか一方を返信するので、通信端末装置は、基地局との不必要な通信をせずに、少なくとも画像および音声のいずれか一方を用いて、悪戯通信を撃退することができる。
【００２４】
【発明の実施の形態】
図１は、本発明の実施の一形態の通信システム１を簡略化して示すブロック図である。通信システム１は、複数の電話装置２，２Ａ間で、基地局３を介して通信する。図１では理解を容易にするために、通信可能なサービスエリア内の電話装置２，２Ａを２個としているけれども、３個以上あってもよい。
【００２５】
図２は、電話装置２の構成を示すブロック図である。通信端末装置である電話装置２は、基地局３を介して、同様に構成される他の電話装置２Ａとの間で、たとえば動画像情報および静止画像情報ならびに音声情報を通信可能なテレビ電話機能付きの電話装置である。電話装置２は、第１カメラ４、第２カメラ５、画像用アナログ／デジタル変換器６、画像符号化処理部７、マイクロホン８、音声用アナログ／デジタル変換器９、音声符号化処理部１０、分離多重化処理部１１、画像復号化処理部１２、画像用デジタル／アナログ変換器１３、表示部１４、音声復号化処理部１５、音声用デジタル／アナログ変換器１６、スピーカ１７、操作部１８、無線通信部１９、アンテナ２０および端末制御部２１を含んで構成される。
【００２６】
第１カメラ４および第２カメラ５は、たとえば電化結合素子（Ｃｈａｒｇｅ  Ｃｏｕｐｌｅｄ  Ｄｅｖｉｃｅ  ；略称：ＣＣＤ）を搭載するＣＣＤカメラで実現される。第１カメラ４は、主に電話装置２を利用する利用者自身を撮影してアナログの動画像情報を生成して、画像用アナログ／デジタル変換器（以後「画像ＡＤＣ」と略して表記することがある）６に与える。第２カメラ５は、主に前記利用者によって高解像度で撮影された、たとえば風景、図面および文章などのアナログの静止画像情報を生成して、画像ＡＤＣ６に与える。画像ＡＤＣ６は、端末制御部２１からの指令に基づいて、第１カメラ４および第２カメラ５のいずれかとの接続状態を切換えるとともに、第１カメラ４および第２カメラ５からのアナログの動画像情報および静止画像情報（以後、これらをまとめて「画像情報」と表記することがある）を、デジタルの画像情報に変換して、画像符号化処理部７に与える。画像符号化処理部７は、画像ＡＤＣ６からの画像情報を、所定の圧縮符号化方式に基づいて符号化して、分離多重化処理部１１に与える。
【００２７】
マイクロホン８は、音声をアナログの音声情報に変換して、音声用アナログ／デジタル変換器（以後「音声ＡＤＣ」と略して表記することがある）９に与える。音声ＡＤＣ９は、端末制御部２１からの指令に基づいて、マイクロホン８からのアナログの音声情報をデジタルの音声情報に変換して、音声符号化処理部１０に与える。音声符号化処理部１０は、音声ＡＤＣ９からの音声情報を、所定の圧縮符号化方式に基づいて符号化して、分離多重化処理部１１に与える。
【００２８】
分離多重化処理部１１は、端末制御部２１からの指令に基づいて、画像符号化処理部７からの符号化された画像情報と、音声符号化処理部１０からの符号化された音声情報とを、送信フレーム単位で多重化して画像音声多重情報を生成する。また分値多重化処理部１１は、画像情報と音声情報とが多重化された画像音声多重情報を、符号化されている画像情報と音声情報とに分離する。分離多重化処理部１１は、端末制御部２１からの指令に基づいて、多重化した画像音声多重情報を無線通信部１９に与える。また分離多重化処理部１１は、端末制御部２１からの指令に基づいて、画像音声多重情報から分離した符号化されている画像情報を、画像復号化処理部１２に与え、前記画像音声多重情報から分離した符号化されている音声情報を、音声復号化処理部１５に与える。
【００２９】
画像復号化処理部１２は、分離多重化処理部１１からの符号化されている画像情報を、所定の圧縮符号化方式に基づいて復号化して、画像用デジタル／アナログ変換器（以後「画像ＤＡＣ」と略して表記することがある）１３に与える。画像ＤＡＣ１３は、端末制御部２１からの指令に基づいて、画像復号化処理部１２からの復号化されたデジタルの画像情報をアナログの画像情報に変換して、表示部１４に与える。表示部１４は、たとえば液晶表示装置およびエレクトロルミネッセント（ＥｌｅｃｔｒｏＬｕｍｉｎｅｓｃｅｎｔ；略称：ＥＬ）ディスプレイなどで実現され、画像ＤＡＣ１３からのアナログの画像情報に基づく画像を表示する。
【００３０】
音声復号化処理部１５は、分離多重化処理部１１からの符号化されている音声情報を、所定の圧縮符号化方式に基づいて復号化して、音声用デジタル／アナログ変換器（以後「音声ＤＡＣ」と略して表記することがある）１６に与える。音声ＤＡＣ１６は、端末制御部２１からの指令に基づいて、音声復号化処理部１５からの復号化されたデジタルの音声情報をアナログの音声情報に変換して、スピーカ１７与える。スピーカ１７は、音声ＤＡＣ１６からのアナログの音声情報に基づく音声を出力する。
【００３１】
画像符号化処理部７および画像復号化処理部１２は、端末制御部２１からの指令に基づいて、画像情報の符号化および復号化を行う。音声符号化処理部１０および音声復号化処理部１５は、端末制御部２１からの指令に基づいて、音声情報の符号化および復号化を行う。
【００３２】
入力手段である操作部１８は、キーボードおよびタッチパネルなどの入力装置で実現され、利用者の入力操作によって各種情報を入力して、端末制御部２１に与える。端末通信手段である無線通信部１９は、基地局３との無線通信を行い、情報を表す信号が変調された電波を送信および受信するためのアンテナ２０が接続される。アンテナ２０は、たとえばダイポールアンテナで実現される。
【００３３】
端末制御部２１は、中央演算処理装置（Ｃｅｎｔｒａｌ  Ｐｒｏｃｅｓｓｉｎｇ  Ｕｎｉｔ  ；略称：ＣＰＵ）、リードオンリーメモリ（Ｒｅａｄ  Ｏｎｌｙ  Ｍｅｍｏｒｙ；略称：ＲＯＭ）、ランダムアクセスメモリ（Ｒａｎｄｏｍ  Ａｃｃｅｓｓ  Ｍｅｍｏｒｙ；略称：ＲＡＭ）およびストレージデバイス（ｓｔｏｒａｇｅ  ｄｅｖｉｃｅ）と呼ばれる記憶装置を含んで構成される。端末制御部２１は、電話装置２の統括的な制御、電話装置２の他の構成部の状態監視、画像の生成、ならびにＲＯＭ、ＲＡＭおよびストレージデバイスに記憶されるアプリケーションプログラムの実行などを行う。前記ストレージデバイスは、電話装置２に内蔵されてもよく、外部にあってもよい。
【００３４】
第１カメラ４および第２カメラ５のいずれかによって撮影されて生成されたアナログの画像情報は、画像ＡＤＣ６によってデジタルの画像情報に変換されて、画像符号処理部７に与えられる。マイクロホン８によって変換されて生成されたアナログの音声情報は、音声ＡＤＣ９によってデジタルの音声情報に変換されて、音声符号処理部１０に与えられる。画像符号処理部７によって圧縮符号化された画像情報と、音声符合処理部１０で圧縮符号化された音声情報は、分離多重化処理部１１によって多重化され、無線通信部１９によって変調されて、アンテナ２０から画像音声多重情報を含む電波が基地局３に送信される。
【００３５】
また基地局３からの画像音声多重情報を含む電波は、アンテナ２０によって受信されて、無線通信部１９によって復調されて分離多重化処理部１１に与えられる。画像音声多重情報は、分離多重化処理部１１によって画像情報と音声情報とに分離され、画像情報は、画像復号処理部１２に与えられ、音声情報は、音声復号処理部１５に与えられる。画像復号処理部１２によって復号化されたデジタルの画像情報は、画像ＤＡＣ１３によってアナログの画像情報に変換されて、表示部１４に表示される。音声復号処理部１５によって復号化されたデジタルの音声情報は、音声ＤＡＣ１６によってアナログの音声信号に変換されて、スピーカ１７から出力される。
【００３６】
図３は、基地局３の構成を示すブロック図である。基地局３は、通信可能なサービスエリア内の電話装置２，２Ａと情報の通信を行う。基地局３は、無線アクセスネットワーク２２、アンテナ２３、コアネットワーク２４、記憶部２５およびゲートウェイ２６を含んで構成される。基地通信手段である無線アクセスネットワーク（Ｒａｄｉｏ  Ａｃｃｅｓｓ  Ｎｅｔｗｏｒｋ；略称：ＲＡＮ）２２は、電話装置２との無線通信を行い、情報を表す信号が変調された電波を送信および受信するためのアンテナ２３が接続される。アンテナ２３は、たとえばダイポールアンテナで実現される。また無線アクセスネットワーク２２は、コアネットワーク２４に接続される。
【００３７】
基地制御手段であるコアネットワーク（Ｃｏｒｅ  Ｎｅｔｗｏｒｋ；略称：ＣＮ）２４は、回線交換機能およびパケット交換機能を有し、電話装置２との通信の制御を行う。コアネットワーク２４は、基地制御部２７を有する。基地制御部２７は、中央演算処理装置（略称：ＣＰＵ）、リードオンリーメモリ（略称：ＲＯＭ）、ランダムアクセスメモリ（略称：ＲＡＭ）およびハードディスクドライブ（Ｈａｒｄ  Ｄｉｓｋ  Ｄｒｉｖｅ  ；略称：ＨＤＤ）などのストレージデバイスと呼ばれる記憶装置を含んで構成される。基地制御部２７は、基地局３の統括的な制御、基地局３の他の構成部の状態監視、画像の生成、ならびにＲＯＭ、ＲＡＭおよびストレージデバイスに記憶される制御プログラムの実行などを行う。前記ストレージデバイスは、コアネットワーク２４内に配置されていてもよく、外部に配置されていてもよい。
【００３８】
記憶部２５は、たとえばＨＤＤなどの大容量記憶装置で実現され、各種情報が記憶されて、コアネットワーク２４に接続される。ゲートウェイ２６は、コアネットワーク２４と、インターネット２８、固定通信網２９および移動通信網３０などの基地局３の外部の公衆通信回線網との間のプロトコル変換およびアドレス変換などの接続制御を行う。
【００３９】
インターネット２８は、他の通信端末装置である多数のパーソナルコンピュータ（Ｐｅｒｓｏｎａｌ  Ｃｏｍｐｕｔｅｒ  ；略称：ＰＣ）３１が接続される公衆通信回線網である。固定通信網２９は、交換機と有線通信を行うような多数の固定電話装置３２が交換機を介して接続される電話回線網である。移動通信網３０は、前述の基地局３と同様の構成の基地局３Ａが多数接続され、基地局３，３Ａと無線通信を行うような多数の前述の電話装置２と同様の構成の電話装置２Ｂが基地局３Ａを介して接続される電話回線網である。
【００４０】
基地局３のサービスエリア内の電話装置２からの情報を含む電波は、アンテナ２３によって受信されて、無線アクセスネットワーク２２によって復調されてコアネットワーク２４に与えられる。コアネットワーク２４は、このように与えられた情報に含まれる他の電話装置２Ａ，２Ｂ、パーソナルコンピュータ３１および固定電話装置３２の識別情報に基づいて、前記情報を当該識別情報に該当する電話装置２Ａ，２Ｂ、パーソナルコンピュータ３１および固定電話装置３２のいずれかに送信するように、無線アクセスネットワーク２２およびゲートウェイ２６を制御する。またインターネット２８、固定通信網２９および移動通信網３０を介して接続される電話装置２Ｂ、パーソナルコンピュータ３１および固定電話装置３２からの、基地局３のサービスエリア内の電話装置２へ送信すべき情報は、ゲートウェイ２６を介してコアネットワーク２４に与えられる。コアネットワーク２４は、このように与えられた情報に含まれる電話装置２の識別情報に基づいて、前記情報を当該識別情報に該当する電話装置２に送信するように、無線アクセスネットワーク２２を制御する。
【００４１】
図４および図５は、電話装置２において動作モード情報を設定する手順を示すフローチャートである。動作モード情報は、電話装置２と同様の構成の他の電話装置との間の通信動作に関する情報を表す。図４に示すステップｓ０で、動作モード情報を設定する手順が開始されて、ステップｓ１に進む。
【００４２】
ステップｓ１では、利用者によって電話装置２の操作部１８が入力操作されて、他の電話装置の識別情報である電話番号が入力されると、端末制御部２１は、入力された電話番号を記憶して、ステップｓ２に進む。
【００４３】
ステップｓ２では、ステップｓ１で入力された電話番号に対応する他の電話装置に関する動作モード情報に含まれる、前記他の電話装置からの発呼があったときに、当該他の電話装置との回線を接続して、通話を行うか否かを表す通話可否情報が、利用者の操作部１８の入力操作によって入力されると、端末制御部２１は、入力された通話可否情報が可であるか否であるかを判断する。ステップｓ２において、入力された通話可否情報が可であると判断されると、ステップｓ３に進み、前記通話可否情報が否であると判断されると、ステップｓ４に進む。
【００４４】
ステップｓ２において、入力された通話可否情報が可であると判断されてステップｓ３に進むと、ステップｓ３では、端末制御部２１は、通話可否情報が可であることを表す通話可フラグを設定して、ステップｓ１４（図５参照）に進む。
【００４５】
ステップｓ２において、入力された通話可否情報が否である、換言すれば、通信動作が他の電話装置からの情報を直接受信しない不受信動作であると判断されてステップｓ４に進むと、ステップｓ４では、ステップｓ１で入力された電話番号に対応する他の電話装置に関する動作モード情報に含まれる、前記他の電話装置からの発呼があったときに、当該他の電話装置から発呼があったことを通知するか否かを表す送信者通知可否情報が、利用者の操作部１８の入力操作によって入力されると、端末制御部２１は、入力された発信元通知可否情報が可であるか否であるかを判断する。ステップｓ４において、入力された発信元通知可否情報が可であると判断されると、ステップｓ５に進み、前記発信元通知可否情報が否であると判断されると、ステップｓ６（図５参照）に進む。
【００４６】
ステップｓ４において、入力された発信元通知可否情報が可である、換言すれば、通信動作が他の通信端末装置からの情報のうち、その他の通信端末装置の識別情報だけを受信し、かつ識別情報を除く他の情報を受信しない識別情報単独受信動作であると判断されてステップｓ５に進むと、ステップｓ５では、端末制御部２１は、発信元通知可否情報が可であることを表す発信元通知可フラグを設定して、ステップｓ６（図５参照）に進む。
【００４７】
図５に示すステップｓ６では、ステップｓ１で入力された電話番号に対応する他の電話装置に関する動作モード情報の返信制御情報に含まれる、当該他の電話装置からの画像情報を受信することなく、基地局３においてそのまま当該他の電話装置に返信するか否かを表す受信画像返信可否情報が、利用者の操作部１８の入力操作によって入力されると、端末制御部２１は、入力された受信画像返信可否情報が可であるか否であるかを判断する。ステップｓ６において、入力された受信画像返信可否情報が可であると判断されると、ステップｓ７に進み、前記受信画像返信可否情報が否であると判断されると、ステップｓ８に進む。
【００４８】
ステップｓ６において、入力された受信画像返信可否情報が可である、換言すれば、他の電話装置からの画像情報を、基地局３においてそのまま当該他の電話装置に返信する未処理情報返信動作であると判断されてステップｓ７に進むと、ステップｓ７では、端末制御部２１は、受信画像返信可否情報が可であることを表す受信画像返信可フラグを設定して、ステップｓ１４に進む。
【００４９】
ステップｓ６において、入力された受信画像返信可否情報が否であると判断されてステップｓ８に進むと、ステップｓ８では、端末制御部２１は、ステップｓ１で入力された電話番号に対応する他の電話装置に関する動作モード情報の返信制御情報に含まれる、当該他の電話装置からの画像情報を受信することなく、基地局３において前記画像に所定の画像処理を施して、当該他の電話装置に返信するか否かを表す特殊処理受信画像返信可否情報が、利用者の操作部１８の入力操作によって入力されると、端末制御部２１は、入力された特殊処理受信画像返信可否情報が可であるか否であるかを判断する。ステップｓ８において、入力された特殊処理受信画像返信可否情報が可であると判断されると、ステップｓ９に進み、前記特殊処理受信画像返信可否情報が否であると判断されると、ステップｓ１０に進む。
【００５０】
ステップｓ６において、入力された特殊処理受信画像返信可否情報が可である、換言すれば、他の電話装置からの画像情報を、基地局３において所定の処理をして、他の電話装置に返信する処理済情報返信動作であると判断されてステップｓ９に進むと、ステップｓ９では、端末制御部２１は、特殊処理受信画像返信可否情報が可であることを表す特殊処理受信画像返信可フラグを設定して、ステップｓ１４に進む。前記所定の処理とは、前記画像情報にモザイクを施す画像処理であってもよい。
【００５１】
ステップｓ８において、入力された特殊処理受信画像返信可否情報が否であると判断されてステップｓ１０に進むと、ステップｓ１０では、端末制御部２１は、ステップｓ１で入力された電話番号に対応する他の電話装置に関する動作モード情報の返信制御情報に含まれる、当該他の電話装置からの画像情報および音声情報を受信することなく、基地局３において、予め設定される指定画像情報を当該他の電話装置に返信するか否かを表す指定画像返信可否情報が、利用者の操作部１８の入力操作によって入力されると、端末制御部２１は、入力された指定画像返信可否情報が可であるか否であるかを判断する。ステップｓ１０において、入力された指定画像返信可否情報が可であると判断されると、ステップｓ１１に進み、前記指定画像返信可否情報が否であると判断されると、ステップｓ１２に進む。
【００５２】
ステップｓ１０において、入力された指定画像返信可否情報が可である、換言すれば、他の通信端末装置からの情報に対して、基地局３において予め設定される画像情報である指定画像情報を他の通信端末装置に返信する設定情報返信動作であると判断されてステップｓ１１に進むと、ステップｓ１１では、端末制御部２１は、指定画像返信可否情報が可であることを表す指定画像返信可フラグを設定して、ステップｓ１４に進む。指定画像とは、たとえばドクロ画像などの、発信元の電話装置の利用者が嫌がるような画像情報である。
【００５３】
ステップｓ１０において、入力された指定画像返信可否情報が否であると判断されてステップｓ１２に進むと、ステップｓ１２では、端末制御部２１は、ステップｓ１で入力された電話番号に対応する他の電話装置に関する動作モード情報の返信制御情報に含まれる、当該他の電話装置からの画像情報および音声情報を受信することなく、基地局３において、予め設定される指定画像情報および指定音声情報を当該他の電話装置に返信するか否かを表す指定画像＆指定音声返信可否情報が、利用者の操作部１８の入力操作によって入力されると、端末制御部２１は、入力された指定画像＆指定音声返信可否情報が可であるか否であるかを判断する。ステップｓ１２において、入力された指定画像＆指定音声返信可否情報が可であると判断されると、ステップｓ１３に進み、前記指定画像＆指定音声返信可否情報が否であると判断されると、ステップｓ１４に進む。
【００５４】
ステップｓ１２において、入力された指定画像＆指定音声返信可否情報が可である、換言すれば、他の通信端末装置からの情報に対して、基地局３において予め設定される画像情報である指定画像情報および予め設定される音声情報である指定音声情報を他の通信端末装置に返信する設定情報返信動作であると判断されてステップｓ１３に進むと、ステップｓ１３では、端末制御部２１は、指定画像＆指定音声返信可否情報が可であることを表す指定画像返信可フラグを設定して、ステップｓ１４に進む。指定音声とは、たとえば「警察に通報するぞ」などの、発信元の電話装置の利用者が嫌がるよう音声情報である。
【００５５】
ステップｓ１４では、端末制御部２１が利用者に、全ての設定が完了したか否かを表す画像情報を表示部１４に表示して、それに対する返答である登録情報設定完了可否情報が利用者の操作部１８の入力操作によって入力されると、端末制御部２１は、入力された登録情報設定完了可否情報が可であるか否かを判断する。ステップｓ１４において、入力された登録情報設定完了可否情報が可であると判断されると、ステップｓ１５に進み、登録情報設定完了可否情報が否であると判断されると、ステップｓ１（図４参照）に戻る。
【００５６】
ステップｓ１４において、入力された登録情報設定完了可否情報が可であると判断されてステップｓ１５に進むと、ステップｓ１５では、端末制御部２１は、ステップｓ１で入力された電話番号および当該電話番号に対応する動作モード情報を基地局３に送信するように無線通信部１９を制御して、ステップｓ１６に進み、全ての手順を終了する。
【００５７】
図６および図７は、基地局３における制御手順を示すフローチャートである。基地局３の記憶部２５には、電話装置２からの、前述の図４および図５に示す手順によって設定登録された電話番号および動作モード情報が、たとえば表１に示すようにして記憶されている。
【００５８】
【表１】
2004320630.tif 000003
【００５９】
表１において、たとえば発信元電話番号００−００００−００００は、悪戯電話の発信元Ａである。この発信元Ａは、電話装置２の利用者にとっては、通話をしたくない相手であるので、動作モード情報には「通話可否情報：否、発信元通知可否情報：可、受信画像返信可否情報：可」のように設定されている。また、たとえば発信元電話番号ＸＸＸ−０００−ＹＹＹＹは、更に悪質な悪戯電話の発信元Ｃである。この発信元Ｃには、前記発信元Ａよりも強力な撃退効果を期待して、動作モード情報には「通話可否情報：否、発信元通知可否情報：可、指定画像＆指定音声返信可否情報：可」のように設定されている。また、たとえば発信元電話番号ＸＸＸＸ−ＹＹ−ＺＺＺＺは、よく喧嘩をする恋人である発信元Ｄであるけれども、喧嘩の仲直りをしたので、「通話可否情報：可、発信元通知可否情報：可、受信画像返信可否情報：否」のように設定されている。
【００６０】
基地局３のコアネットワーク２４の基地制御部２７は、記憶部２５に記憶されている電話装置２からの電話番号および動作モード情報に基づいて、動作モード情報が表す電話装置２と他の通信端末装置である他の電話装置２Ａ，２Ｂ、パーソナルコンピュータ３１および固定電話装置３２（以後、これらの他の通信端末装置をまとめて、単に「他の電話装置２Ａ」と表記することがある）との通信動作が、動作モード情報の表す通信動作となるように無線アクセスネットワーク２２を制御するように構成されている。図６に示すステップｔ０で、基地局３における制御手順が開始されて、ステップｔ１に進む。
【００６１】
ステップｔ１では、基地制御部２７は、他の電話装置２Ａから電話装置２に対して発呼があると、前記他の電話装置２Ａの電話番号を確認して、ステップｔ２に進む。
【００６２】
ステップｔ２では、基地制御部２７は、記憶部２５に記憶されている発信元電話番号と、ステップｔ１で確認した電話番号とを照合して、ステップｔ３に進む。
【００６３】
ステップｔ３では、基地制御部２７は、記憶部２５に記憶されている発信元電話番号と、ステップｔ１で確認した電話番号とが一致するか否かを判断し、一致すると判断するとステップｔ４に進み、一致しないと判断するとステップｔ６に進む。
【００６４】
ステップｔ３において、ステップｔ１で確認した電話番号とが一致すると判断されてステップｔ４に進むと、基地制御部２７は、記憶部２５に記憶される、一致した発信元電話番号に対応する動作モード情報を検索して、ステップｔ５に進む。
【００６５】
ステップｔ５では、基地制御部２７は、前記発信元電話番号に対応する動作モード情報のうち、通話可否情報が可であるか否であるかを判断して、通話可否情報が可であると判断するとステップｔ６に進み、通話可否情報が否であると判断するとステップｔ７に進む。
【００６６】
ステップｔ５において、通話可否情報が可であると判断されてステップｔ６に進むと、ステップｔ６では、基地制御部２７は、電話装置２と前記他の電話装置２Ａとの間の通話を許可するように無線アクセスネットワーク２２を制御して、ステップｔ１８（図７参照）に進み、全ての手順を終了する。
【００６７】
ステップｔ５において、通話可否情報が否であると判断されてステップｔ７に進むと、ステップｔ７では、基地制御部２７は、前記発信元電話番号に対応する動作モード情報のうち、発信元通知可否情報が可であるか否であるかを判断して、発信元通知可否情報が可であると判断するとステップｔ８に進み、発信元通知可否情報が否であると判断するとステップｔ９（図７参照）に進む。
【００６８】
ステップｔ７において発信元通知可否情報が可であると判断されてステップｔ８に進むと、ステップｔ８では、基地制御部２７は、電話装置２に前記他の電話装置２Ａの電話番号だけを送信し、かつ電話番号を除く他の情報を送信しないように無線アクセスネットワーク２２を制御して、ステップｔ９（図７参照）に進む。このように制御することによって、電話装置２と他の電話装置２Ａとの通話は行われないので、電話装置２の利用者は、不必要な通信料金を支払う必要が無い。
【００６９】
図７に示すステップｔ９では、基地制御部２７は、記憶部２５に記憶される動作モード情報の返信制御情報を検索して、ステップｔ１０に進む。
【００７０】
ステップｔ１０では、基地制御部２７は、ステップｔ９で検索した返信制御情報のうち、受信画像返信可否情報が可であるか否であるかを判断し、受信画像返信可否情報が可であると判断するとステップｔ１１に進み、受信画像返信可否情報が否であると判断するとステップｔ１２に進む。
【００７１】
ステップｔ１０において、受信画像返信可否情報が可であると判断されてステップｔ１１に進むと、ステップｔ１１では、基地制御部２７は、前記他の電話装置２Ａからの画像情報をそのまま前記他の電話装置２Ａに送信するように、無線アクセスネットワーク２２およびゲートウェイ２６を制御して、ステップｔ１８に進み、全ての手順を終了する。
【００７２】
ステップｔ１０において、受信画像返信可否情報が否であると判断されてステップｔ１２に進むと、ステップｔ１２では、基地制御部２７は、ステップｔ９で検索した返信制御情報のうち、特殊処理受信画像返信可否情報が可であるか否であるかを判断し、特殊処理受信画像返信可否情報が可であると判断するとステップｔ１３に進み、特殊処理受信画像返信可否情報が否であると判断するとステップｔ１４に進む。
【００７３】
ステップｔ１２において、特殊処理受信画像返信可否情報が可であると判断されてステップｔ１３に進むと、ステップｔ１３では、基地制御部２７は、前記他の電話装置２Ａからの画像情報に所定の画像処理を施して前記他の電話装置２Ａに送信するように、無線アクセスネットワーク２２およびゲートウェイ２６を制御して、ステップｔ１８に進み、全ての手順を終了する。
【００７４】
ステップｔ１２において、特殊処理受信画像返信可否情報が否であると判断されてステップｔ１４に進むと、ステップｔ１２では、基地制御部２７は、ステップｔ９で検索した返信制御情報のうち、指定画像返信可否情報が可であるか否であるかを判断し、指定画像返信可否情報が可であると判断するとステップｔ１５に進み、指定画像返信可否情報が否であると判断するとステップｔ１６に進む。
【００７５】
ステップｔ１４において、指定画像返信可否情報が可であると判断されてステップｔ１５に進むと、ステップｔ１５では、基地制御部２７は、予め設定される指定画像を前記他の電話装置２Ａに送信するように、無線アクセスネットワーク２２およびゲートウェイ２６を制御して、ステップｔ１８に進み、全ての手順を終了する。
【００７６】
ステップｔ１４において、指定画像返信可否情報が否であると判断されてステップｔ１６に進むと、ステップｔ１６では、基地制御部２７は、ステップｔ９で検索した返信制御情報のうち、指定画像＆指定音声返信可否情報が可であるか否であるかを判断し、指定画像＆指定音声返信可否情報が可であると判断するとステップｔ１７に進み、指定画像＆指定音声返信可否情報が否であると判断するとステップｔ１８に進み、全ての手順を終了する。
【００７７】
ステップｔ１６において、指定画像＆指定音声返信可否情報が可であると判断されてステップｔ１７に進むと、ステップｔ１７では、基地制御部２７は、予め設定される指定画像および指定音声を前記他の電話装置２Ａに送信するように、無線アクセスネットワーク２２およびゲートウェイ２６を制御して、ステップｔ１８に進み、全ての手順を終了する。
【００７８】
前述のステップｔ１１、ステップｔ１３、ステップｔ１５およびステップｔ１７における制御は、電話装置２と他の電話装置２Ａとの通話無しで行われるので、電話装置２の利用者は、不必要な通信料金を支払う必要が無い。
【００７９】
以上のように本実施の形態の通信システム１によれば、電話装置２の操作部１８は、他の電話装置２Ａとの間の通信動作に関する情報を表す動作モード情報を含む情報を入力する。電話装置２の無線通信部１９は、基地局３との情報の通信を行って、前記動作モード情報および電話番号を基地局３に送信する。基地局３の無線アクセスネットワーク２２は、電話装置２との情報の通信を行って、電話装置２からの動作モード情報および電話番号を受信する。基地局３の基地制御部２７は、電話装置２からの動作モード情報に基づいて、動作モード情報が表す他の電話装置２Ａとの通信動作が、動作モード情報の表す通信動作となるように無線アクセスネットワーク２２を制御する。これによって、たとえば電話装置２の利用者が受信したくない他の電話装置２Ａからの情報を受信しないように動作モード情報を入力することによって、基地局３が、前記利用者の電話装置２からの動作モード情報に基づいて、当該電話装置２に前記他の電話装置２Ａからの情報を与えないようにして、不所望な悪戯通信を撃退することができる。このように電話装置２が動作モード情報の表す通信動作となるように無線通信部１９が動作するのではなく、基地局３の基地制御部２７によって無線アクセスネットワーク２２が制御されて動作するので、電話装置２と基地局３と間の不必要な通信を行うことが無い。これによって電話装置２の通信に基づいて発生する通信料金を低減することができる。
【００８０】
本実施の形態の通信システム１において、動作モード情報の返信制御情報に、図４のステップｓ１で入力された電話番号に対応する他の電話装置に関する動作モード情報の返信制御情報に含まれる、当該他の電話装置からの画像情報および音声情報を受信することなく、基地局３において、予め設定される指定音声情報を当該他の電話装置に返信するか否かを表す指定音声返信可否情報を含むようにしてもよい。
【００８１】
また本実施の形態の通信システム１において、悪戯電話を撃退するために、基地局３における動作モード情報に基づく制御によって画像情報および音声情報を返信するとしたけれども、これに限ることはない。たとえば電話装置２の利用者が呼出に応答できないときに、通信料金を支払うこと無く、予め基地局３に設定しておいた画像情報および音声情報を発信元に送信するようにしてもよい。また電話装置２の利用者自身の画像情報および音声情報を発信元に送信すること無く、発信元の画像情報および音声情報を受信するモニターモードの制御に関しても、そのまま動作モード情報の設定対策として適用可能である。
【００８２】
また本実施の形態の通信システム１を実現可能なコンピュータが実行可能なプログラムを、コンピュータに供給することによって、通信システム１の効果を達成することができる。
【００８３】
【発明の効果】
以上のように本発明によれば、通信端末装置の入力手段は、他の通信端末装置との間の通信動作に関する情報を表す動作モード情報を含む情報を入力する。通信端末装置の端末通信手段は、基地局との情報の通信を行って、前記動作モード情報を基地局に送信する。基地局の基地通信手段は、通信端末装置との情報の通信を行って、端末通信装置からの動作モード情報を受信する。基地局の基地制御手段は、端末通信手段からの動作モード情報に基づいて、動作モード情報が表す他の通信端末装置との通信動作が、動作モード情報の表す通信動作となるように基地通信手段を制御する。これによって、たとえば通信端末装置の利用者が受信したくない他の通信端末装置からの情報を受信しないように動作モード情報を入力することによって、基地局が、前記利用者の通信端末装置からの動作モード情報に基づいて、当該通信端末装置に前記他の通信端末装置からの情報を与えないようにして、不所望な悪戯通信を撃退することができる。このように通信端末装置が動作モード情報の表す通信動作となるように端末通信手段が動作するのではなく、基地局の基地制御手段によって基地通信手段が制御されて動作するので、通信端末装置と基地局と間の不必要な通信を行うことが無い。これによって通信端末装置の通信に基づいて発生する通信料金を低減することができる。
【００８４】
また本発明によれば、動作モード情報が表す通信動作は、他の通信端末装置からの情報を受信しない不受信動作である。これによって利用者が、たとえば頻繁に悪戯通信をしてくる特定の他の通信端末装置からの情報を受信しないように動作モード情報を入力手段から入力することで、前記他の通信端末装置からの不所望な情報を受信することがなく、基地局との不必要な通信をせずに悪戯通信を撃退することができる。
【００８５】
また本発明によれば、動作モード情報が表す通信動作は、他の通信端末装置からの情報のうち、その他の通信端末装置の識別情報だけを受信し、かつ識別情報を除く他の情報を受信しない識別情報単独受信動作である。これによって利用者は、受信した識別情報を確認することで、たとえば頻繁に悪戯通信をしてくる特定の他の通信端末装置からの悪戯通信があったことを確認することができるとともに、識別情報を除く他の情報を受信しないので、前記他の通信端末装置からの不所望な情報を受信することがなく、基地局との不必要な通信をせずに悪戯通信を撃退することができる。
【００８６】
また本発明によれば、動作モード情報が表す通信動作は、他の通信端末装置からの情報を、基地局においてそのまま他の通信端末装置に返信する未処理情報返信動作である。これによって基地局が他の通信端末装置に、前記他の通信端末装置からの情報をそのまま返信するので、通信端末装置は、基地局との不必要な通信をせずに悪戯通信を撃退することができる。
【００８７】
また本発明によれば、動作モード情報が表す通信動作は、他の通信端末装置からの情報を、基地局において所定の処理をして、他の通信端末装置に返信する処理済情報返信動作である。これによって基地局が他の通信端末装置に、前記他の通信端末装置からの情報に所定の処理をして返信するので、通信端末装置は、基地局との不必要な通信をせずに悪戯通信を撃退することができる。
【００８８】
また本発明によれば、動作モード情報が表す通信動作は、他の通信端末装置からの情報に対して、基地局において予め設定される情報を他の通信端末装置に返信する設定情報返信動作である。これによって基地局が他の通信端末装置に、前記他の通信端末装置からの情報に対して、予め設定される情報を返信するので、通信端末装置は、基地局との不必要な通信をせずに悪戯通信を撃退することができる。
【００８９】
また本発明によれば、前記返信する予め設定される情報は、画像情報および音声情報の少なくともいずれか一方である。これによって基地局が他の通信端末装置に、前記他の通信端末装置からの情報に対して、予め設定される画像情報および音声情報の少なくともいずれか一方を返信するので、通信端末装置は、基地局との不必要な通信をせずに、少なくとも画像および音声のいずれか一方を用いて、悪戯通信を撃退することができる。
【図面の簡単な説明】
【図１】本発明の実施の一形態の通信システム１を簡略化して示すブロック図である。
【図２】電話装置２の構成を示すブロック図である。
【図３】基地局３の構成を示すブロック図である。
【図４】電話装置２において動作モード情報を設定する手順を示すフローチャートである。
【図５】電話装置２において動作モード情報を設定する手順を示すフローチャートである。
【図６】基地局３における制御手順を示すフローチャートである。
【図７】基地局３における制御手順を示すフローチャートである。
【符号の説明】
１  通信システム
２，２Ａ，２Ｂ  電話装置
３  基地局
１８  操作部
１９  無線通信部
２２  無線アクセスネットワーク
２４  コアネットワーク
２７  基地制御部
【図１】
2004320630.tif 000004
【図２】
2004320630.tif 000005
【図３】
2004320630.tif 000006
【図４】
2004320630.tif 000007
【図５】
2004320630.tif 000008
【図６】
2004320630.tif 000009
【図７】
2004320630.tif 000010